(57)【要約】【課題】簡単な操作でクーリングダウンを行うことができ、内部部品の寿命を延ばすことができるヘアドライヤーを提供する。【解決手段】送風ファン２０と、送風ファン２０の下流側に配置されたヒーター３０と、送風ファン２０とヒーター３０とをともに作動させる通常モードスイッチ４０と、ヒーター３０に通電することなく送風ファン２０を作動させるクーリングダウン用スイッチ５０と、クーリングダウン用スイッチ５０がＯＮすることで作動し、所定時間のみ送風ファン２０を作動させるタイマースイッチ６０とを備えている。または、ヒーター３０より下流側に配置された温度センサ６２と、温度センサ６２による検出温度が所定温度以下になるまで送風ファン２０を作動させるファン作動手段６３とを備えている。【選択図】図１
2014113178.tif 000002
【特許請求の範囲】
【請求項１】
送風ファンと、この送風ファンの下流側に配置されたヒーターと、を備えたヘアドライヤーであって、
前記ヒーターに通電することなく前記送風ファンを作動させるクーリングダウン用スイッチと、
このクーリングダウン用スイッチがＯＮすることで作動し、所定時間のみ前記送風ファンを作動させるタイマースイッチと、
を備えていることを特徴とするヘアドライヤー。
【請求項２】
送風ファンと、この送風ファンの下流側に配置されたヒーターと、を備えたヘアドライヤーであって、
前記ヒーターに通電することなく前記送風ファンを作動させるクーリングダウン用スイッチと、
前記ヒーターより下流側に配置された温度センサと、
この温度センサによる検出温度が所定温度以下になるまで前記送風ファンを作動させるファン作動手段と、
を備えていることを特徴とするヘアドライヤー。
【請求項３】
請求項１または２記載のヘアドライヤーにおいて、
前記送風ファンとヒーターとをともに作動させる通常モードスイッチを備え、
この通常モードスイッチが切られることで前記クーリングダウン用スイッチがＯＮすることを特徴とするヘアドライヤー。
【発明の詳細な説明】
【技術分野】
【０００１】
本発明は、ヘアドライヤー（以下、単にドライヤーともいう）に関するものである。
【背景技術】
【０００２】
従来、例えば特許文献１の図７に見られるように、送風ファン（２２）と、この送風ファン（２２）の下流側に配置されたヒーター（１０）と、を備えたヘアドライヤーが知られている。
このようなヘアドライヤーは、送風ファンとヒーターとをともに作動させるスイッチ（７）（通常モードスイッチ）を入れることで吹き出し口（９）から温風を吹き出させ、髪を乾かしたりセットアップしたりすることができる。
しかし、このようなドライヤーは、通常モードスイッチ（７）を備えているだけであるので、使用後、自然冷却されるまで高温状態が続く。そのため、内部部品の寿命が短くなる。
【０００３】
一方、従来のヘアドライヤーとして、ヒーターに通電することなく送風ファンを作動させる送風モードを備えたものも知られている。
このようなドライヤーによれば、通常モードで使用した後、送風モードにしてしばらく運転すれば、ドライヤーをクリーングダウンすることができる。
しかし、送風モード用スイッチをＯＮした後、所定時間後にＯＦＦするという操作をいちいち行うことは面倒である。
【０００４】
また、従来、特許文献２に見られるように、タイマ設定ダイヤル（１３）により使用時間を設定することで、その設定した時間だけドライヤを運転し自動的に停止させるようにしたものが知られている（同文献００２２段落）。
しかし、このドライヤのタイマ設定ダイヤル（１３）は、電源を切り忘れた場合の安全性を確保することを目的とするもので（同文献００２２段落）、クーリングダウンを目的とするものではない。
特許文献２には明示されていないが、温風／送風切替えダイヤル（２）を送風モードに切り替え、かつ、タイマ設定ダイヤル（１３）を作動させれば、所定時間クーリングダウンを行うことも可能であるかも知れない。
しかし、その場合には、温風／送風切替えダイヤル（２）とタイマ設定ダイヤル（１３）の操作が必要であり、やはり面倒である。
【先行技術文献】
【特許文献】
【０００５】
【特許文献１】特開２００３−８７９６１号公報
【特許文献２】特開２００３−６１７３７号公報
【発明の概要】
【発明が解決しようとする課題】
【０００６】
本発明が解決しようとする課題は、簡単な操作でクーリングダウンを行うことができ、内部部品の寿命を延ばすことができるヘアドライヤーを提供することである。
【課題を解決するための手段】
【０００７】
上記課題を解決するために、本発明のヘアドライヤーは、
送風ファンと、この送風ファンの下流側に配置されたヒーターと、を備えたヘアドライヤーであって、
前記ヒーターに通電することなく前記送風ファンを作動させるクーリングダウン用スイッチと、
このクーリングダウン用スイッチがＯＮすることで作動し、所定時間のみ前記送風ファンを作動させるタイマースイッチと、
を備えていることを特徴とする。
このヘアドライヤーによれば、使用後、クーリングダウン用スイッチをＯＮすると、ヒーターに通電されることなく送風ファンが作動するとともに、タイマースイッチが作動し、所定時間のみ送風ファンが作動する。
したがって、このヘアドライヤーによれば、使用後、クーリングダウン用スイッチをＯＮするだけで、自動的に所定時間のみクーリングダウンを行うことができる。
すなわち、このヘアドライヤーによれば、簡単な操作でクーリングダウンを行うことができ、内部部品の寿命を延ばすことができる。
【０００８】
また、上記課題を解決するために、本発明のヘアドライヤーは、
送風ファンと、この送風ファンの下流側に配置されたヒーターと、を備えたヘアドライヤーであって、
前記ヒーターに通電することなく前記送風ファンを作動させるクーリングダウン用スイッチと、
前記ヒーターより下流側に配置された温度センサと、
この温度センサによる検出温度が所定温度以下になるまで前記送風ファンを作動させるファン作動手段と、
を備えていることを特徴とする。
このヘアドライヤーによれば、使用後、クーリングダウン用スイッチをＯＮすると、ヒーターに通電されることなく送風ファンが作動するとともに、その作動は、ファン作動手段によって、ヒーター下流側の温度センサによる検出温度が所定温度以下になるまで行われることとなる。
したがって、このヘアドライヤーによれば、使用後、クーリングダウン用スイッチをＯＮするだけで、ヒーター下流側の温度が所定温度以下になるまで自動的にクーリングダウンを行うことができる。
すなわち、このヘアドライヤーによれば、簡単な操作でクーリングダウンを行うことができ、内部部品の寿命を延ばすことができる。
【０００９】
以上のヘアドライヤーにおいては、
前記送風ファンとヒーターとをともに作動させる通常モードスイッチが切られることで前記クーリングダウン用スイッチがＯＮする構成とすることができる。
このように構成すると、クーリングダウン用スイッチをＯＮする操作も不要となる。
したがって、一層簡単な操作でクーリングダウンを行うことができ、内部部品の寿命を延ばすことができる。
【図面の簡単な説明】
【００１０】
【図１】本発明に係るヘアドライヤーの一実施の形態の構成図。
【図２】同上回路図。
【図３】他の実施の形態の構成図。
【図４】同上回路図。
【図５】図１に示した実施の形態を変形した実施の形態の構成図。
【図６】同上回路図。
【図７】図３に示した実施の形態を変形した実施の形態の構成図。
【図８】同上回路図。
【発明を実施するための形態】
【００１１】
以下、本発明に係るヘアドライヤーの実施の形態について図面を参照して説明する。なお、各図において、同一部分ないし相当する部分には、同一の符号を付してある。
【００１２】
図１、図２に示すように、この実施の形態のヘアドライヤー１０は、送風ファン２０と、この送風ファン２０の下流側に配置されたヒーター３０と、送風ファン２０とヒーター３０とをともに作動させる通常モードスイッチ４０とを備えている。
【００１３】
１１は筒状の本体、１２は本体１１に取り付けられた持ち手、１３は電源プラグ、２１は送風ファン２０を駆動するモータである。
ヒーター３０は、ニクロム線やセラミックヒーター等公知の構成のものを採用し得る。
【００１４】
このヘアドライヤー１０は、通常モードスイッチ４０を入れることで、送風ファン２０とヒーター３０とをともに作動させ、本体１１の吹き出し口１１ｂから温風を吹き出させ、髪を乾かしたりセットアップしたりすることができる。
【００１５】
このへドライヤー１０の特徴は、ヒーター３０に通電することなく送風ファン２０を作動させるクーリングダウン用スイッチ５０と、このクーリングダウン用スイッチ５０がＯＮすることで作動し、所定時間のみ送風ファン２０を作動させるタイマースイッチ６０と、を備えていることにある。
所定時間は、そのドライヤーに応じて適宜設定でき、例えば、３０秒間〜３分間の間で適宜設定する。
【００１６】
このヘアドライヤー１０によれば、使用後、クーリングダウン用スイッチ５０をＯＮすると、ヒーター３０に通電されることなく送風ファン２０が作動するとともに、タイマースイッチ６０が作動し、所定時間のみ送風ファン２０が作動する。
したがって、このヘアドライヤー１０によれば、使用後、クーリングダウン用スイッチ５０をＯＮするだけで、自動的に所定時間のみクーリングダウンを行うことができる。
すなわち、このヘアドライヤー１０によれば、簡単な操作でクーリングダウンを行うことができ、内部部品の寿命を延ばすことができる。
【００１７】
ここでいう内部部品は、送風ファン２０よりも下流側（吹き出し口１１ｂ側）において、本体１１内に配置されている部品であり、ヒーター３０の他、後述する、サーモスタット６１，温度センサ６２等を挙げることができる。
【００１８】
サーモスタット６１（図１参照）や温度センサ６２（図３参照）は、吹き出し口１１ｂの近くに配置される部品であり、温風を浴びる部品であるから、繰り返しの使用による温度変化により、寿命が短くなりやすい部品である。
このヘアドライヤー１０によれば、このような部品の長寿命化に特に有効である。
【００１９】
サーモスタット６１は、ヒーター３０に対し直列に接続されており、温風が所定温度以上になると開状態となってヒーター３０への通電を遮断する部品である。
サーモスタット６１が劣化すると、温風が所定温度に達していないにもかかわらず開状態となってヒーター３０への通電を遮断してしまうため、その寿命が短くなるとヘアドライヤー１０自体の寿命も短くなる。
これに対し、この実施の形態によれば、サーモスタット６１の寿命を延ばすことによりヘアドライヤー１０の寿命も延ばすことができる。
【００２０】
なお、通常モードスイッチ４０、クーリングダウン用スイッチ５０は、いずれも、公知の押しボタンスイッチやスライドスイッチで構成することができる。
【００２１】
図３，図４は他の実施の形態を示す図である。
この実施の形態の特徴は、ヒーター３０に通電することなく送風ファン２０を作動させるクーリングダウン用スイッチ５０と、ヒーター３０より下流側に配置された温度センサ６２と、この温度センサ６２による検出温度が所定温度以下になるまで送風ファン２０を作動させるファン作動手段６３と、を備えていることにある。
【００２２】
ファン作動手段６３は、クーリングダウン用スイッチ５０とモータ２１との間に直列に介装され、温度センサ６２からの検出信号が所定温度以下になるまではＯＮし続け、温度センサ６２からの検出信号が所定温度以下になるとＯＦＦする公知のスイッチング回路で構成することができる。
所定温度は、そのドライヤーに応じて適宜設定でき、例えば、３５度〜４５度の間で適宜設定する。
【００２３】
このヘアドライヤー１０によれば、使用後、クーリングダウン用スイッチ５０をＯＮすると、ヒーター３０に通電されることなく送風ファン２０が作動するとともに、その作動は、ファン作動手段６３によって、ヒーター３０下流側の温度センサ６２による検出温度が所定温度以下になるまで行われることとなる。
したがって、このヘアドライヤー１０によれば、使用後、クーリングダウン用スイッチ５０をＯＮするだけで、ヒーター３０下流側の温度が所定温度以下になるまで自動的にクーリングダウンを行うことができる。
すなわち、このヘアドライヤー１０によれば、簡単な操作でクーリングダウンを行うことができ、内部部品の寿命を延ばすことができる。
【００２４】
図５，図６は、図１，図２に示した実施の形態を変形した実施の形態を示す図である。
この実施の形態が、図１，図２に示した実施の形態と異なる点は、送風ファン２０とヒーター３０とをともに作動させる通常モードスイッチ４０が切られることでクーリングダウン用スイッチ５０がＯＮする構成とした点にあり、その他の点に変わりはない。
このように構成すると、クーリングダウン用スイッチ５０を別途ＯＮする操作も不要となる。
したがって、一層簡単な操作でクーリングダウンを行うことができ、内部部品の寿命を延ばすことができる。
なお、通常モードスイッチ４０が切られることでクーリングダウン用スイッチ５０がＯＮする構造は、例えば、公知の単一のスライドスイッチ７０で構成することができる。
【００２５】
図７，図８は、図３，図４に示した実施の形態を変形した実施の形態を示す図である。
この実施の形態が、図３，図４に示した実施の形態と異なる点は、送風ファン２０とヒーター３０とをともに作動させる通常モードスイッチ４０が切られることでクーリングダウン用スイッチ５０がＯＮする構成とした点にあり、その他の点に変わりはない。
このように構成すると、クーリングダウン用スイッチ５０を別途ＯＮする操作も不要となる。
したがって、一層簡単な操作でクーリングダウンを行うことができ、内部部品の寿命を延ばすことができる。
通常モードスイッチ４０が切られることでクーリングダウン用スイッチ５０がＯＮする構造は、例えば、公知の単一のスライドスイッチ７０で構成することができる。
【００２６】
以上、本発明の実施の形態について説明したが、本発明は上記の実施の形態に限定されるものではなく、本発明の要旨の範囲内において適宜変形実施可能である。
【符号の説明】
【００２７】
１０    ヘアドライヤー
２０    送風ファン
３０    ヒーター
４０    通常モードスイッチ
５０    クーリングダウン用スイッチ
６０    タイマースイッチ
６２    温度センサ
６３    ファン作動手段
【図１】
2014113178.tif 000003
【図２】
2014113178.tif 000004
【図３】
2014113178.tif 000005
【図４】
2014113178.tif 000006
【図５】
2014113178.tif 000007
【図６】
2014113178.tif 000008
【図７】
2014113178.tif 000009
【図８】
2014113178.tif 000010